(57)【特許請求の範囲】
【請求項１】
かみ合っており回転の伝達を行う第１のギヤと第２のギヤとを有するギヤ機構において、
該第１のギヤが第１の支持板に植設してある第１のギヤ軸に回転可能に支持されており、
該第２のギヤが第１の支持板とは別の部材である第２の支持板に植設してある第２のギヤ軸に回転可能に支持されており、
該第１の支持板には、上記第１のギヤ軸に加えて位置決め軸が植設してあり、該第１のギヤ軸と該位置決め軸との関係がかみ合った第１のギヤと該第２のギヤとの位置関係に対応した関係にあり、
上記第２のギヤ軸は、先端側に位置決め穴が形成してあり、
上記第２の支持板が取り付けられた状態で、該位置決め軸の先端側が上記第２のギヤ軸の先端側の位置決め穴に嵌合しており、これによって、該第１のギヤ軸と該第２のギヤ軸との位置関係が決定されている構成としたギヤ機構。
【請求項２】
かみ合っており回転の伝達を行う第１のギヤと第２のギヤとを有するギヤ機構において、
該第１のギヤが第１の支持板に植設してある第１のギヤ軸に回転可能に支持されており、
該第２のギヤが第１の支持板とは別の部材である第２の支持板に植設してある第２のギヤ軸に回転可能に支持されており、
該第１の支持板には、上記第１のギヤ軸に加えて位置決め軸が植設してあり、該第１のギヤ軸と該位置決め軸との関係がかみ合った第１のギヤと該第２のギヤとの位置関係に対応した関係にあり、
上記位置決め軸は、先端側に位置決め穴が形成してあり、
上記第２の支持板が取り付けられた状態で、上記第２のギヤ軸の先端側が該位置決め軸の先端側の位置決め穴に嵌合しており、これによって、該第１のギヤ軸と該第２のギヤ軸との位置関係が決定されている構成としたギヤ機構。
【発明の詳細な説明】
【０００１】
【発明の属する技術分野】
本発明はギヤ機構に係り、特に、コンピュータ装置の大容量の外部記憶装置として使用されるＤＡＴ（Digital Audio Tape Recorder)ストリーマのモードカムの回動に適用されたギヤ機構に関する。
ＤＡＴストリーマは、ＤＡＴテープカセットを使用し、磁気テープへの情報の記録及び再生は高速回転する回転ドラム（回転ヘッド）によって行い、磁気テープの走行はキャプスタンとピンチローラとによって挟持駆動させて行ない、且つ、モードモータによりモードカムを回動させ、モードカムの回動に応じて種々の機構が動作される構成である。モードモータからモードカムへの回転の伝達は、ギヤ機構によって行われる。
【０００２】
ＤＡＴストリーマは小型であることが求められており、モードモータからモードカムへの回転の伝達を行うギヤ機構についてもコンパクトにまとめることが求められている。また、このギヤ機構は、組み立てがし易い構成であることが望ましい。
【０００３】
【従来の技術】
図６（Ａ），（Ｂ）は、従来のＤＡＴストリーマのモードモータ１１のウォーム１１ａからモードカム１２への回転の伝達を行うギヤ機構１０を示す。ギヤ機構１０は、減速ギヤ機構であり、ギヤ１３、１４、１５よりなり、共に、シャーシ１６に植設された軸１７、１８、１９に回転可能に嵌合して支持してあり、かみ合っている。モードモータ１１は、シャーシ１６と一体のブラケット１６ａにねじ止めされて取り付けてある。
【０００４】
【発明が解決しようとする課題】
ギヤ１３、１４、１５は共にシャーシ１６に植設された軸１７、１８、１９に支持されており、軸間距離は精度よく定まっているけれども、全部のギヤ１３、１４、１５を同じ部材であるシャーシ１６に取り付けるため、設計の自由度が制限され、また、組み立てるときの作業性が良くなかった。また、全部のギヤ１３、１４、１５が平面的に並んでいるため、小型化を図ることが難しかった。
【０００５】
ここで、モードモータ１１及び複数のギヤのうち一部をブラケットに取り付け、残りのギヤをシャーシに取り付け、モードモータ１１及び複数のギヤのうち一部が取り付けられたブラケットをシャーシに取り付ける構成とすることも可能である。このようにすれば、シャーシに取り付けるギヤの数は従来の場合より少なくなり、予めモードモータ１１及びギヤが取り付けてあるブラケットをシャーシに取り付ければ足り、組み立てるときの作業性は改善される。また、高さも利用され、ギヤ機構は一部立体的となり、コンパクトになる。
【０００６】
しかし、このようにした場合には、ブラケット上のギヤとシャーシ上のギヤとの間隔の精度が良くなくなるおそれがあり、ブラケット上のギヤとシャーシ上のギヤとの間隔の精度を良好に保つ工夫が必要となる。
そこで、本発明は上記課題を解決したギヤ機構を提供することを目的とする。
【０００７】
【課題を解決するための手段】
請求項１の発明は、かみ合っており回転の伝達を行う第１のギヤと第２のギヤとを有するギヤ機構において、
該第１のギヤ５２が第１の支持板６１ｂに植設してある第１のギヤ軸６２に回転可能に支持されており、
該第２のギヤ５３が第１の支持板とは別の部材である第２の支持板７０に植設してある第２のギヤ軸６３に回転可能に支持されており、
該第１の支持板には、上記第１のギヤ軸に加えて位置決め軸６４が植設してあり、該第１のギヤ軸と該位置決め軸との関係がかみ合った第１のギヤと該第２のギヤとの位置関係に対応した関係にあり、
上記第２のギヤ軸は、先端側に位置決め穴６３ａが形成してあり、
上記第２の支持板が取り付けられた状態で、該位置決め軸６４の先端側が上記第２のギヤ軸の先端側の位置決め穴６３ａに嵌合しており、これによって、該第１のギヤ軸と該第２のギヤ軸との位置関係が決定されている構成としたものである。
【０００８】
第１の支持板上の第１のギヤ軸と位置決め軸との位置関係が精度良く決まっており、この位置決め軸の先端側が第２のギヤ軸の先端側の位置決め穴に嵌合した構成は、第１のギヤが第１の支持板に植設してある第１のギヤ軸に回転可能に支持されており、該第２のギヤが第１の支持板とは別の部材である第２の支持板に植設してある第２のギヤ軸に回転可能に支持されている構成において、第１のギヤ軸と第２のギヤ軸との位置関係を精度良く定める。これによって、第１のギヤと第２のギヤとを、第１のギヤと第２のギヤとが共に第２の支持板に植設してあるギヤ軸に回転可能に支持されている構成の精度と同じ精度でかみ合わせることが可能となる。
【０００９】
請求項２の発明は、かみ合っており回転の伝達を行う第１のギヤと第２のギヤとを有するギヤ機構において、
該第１のギヤ５２が第１の支持板６１ｂに植設してある第１のギヤ軸６２に回転可能に支持されており、
該第２のギヤ５３が第１の支持板とは別の部材である第２の支持板７０に植設してある第２のギヤ軸６３Ａに回転可能に支持されており、
該第１の支持板には、上記第１のギヤ軸に加えて位置決め軸６４Ａが植設してあり、該第１のギヤ軸と該位置決め軸との関係がかみ合った第１のギヤと該第２のギヤとの位置関係に対応した関係にあり、
上記位置決め軸は、先端側に位置決め穴６４Ａａが形成してあり、
上記第２の支持板が取り付けられた状態で、上記第２のギヤ軸６３Ａの先端側が該位置決め軸の先端側の位置決め穴６４Ａａに嵌合しており、これによって、該第１のギヤ軸と該第２のギヤ軸との位置関係が決定されている構成としたものである。
【００１０】
第１の支持板上の第１のギヤ軸と位置決め軸との位置関係が精度良く決まっており、この位置決め軸の先端側の位置決め穴が第２のギヤ軸の先端側と嵌合した構成は、第１のギヤが第１の支持板に植設してある第１のギヤ軸に回転可能に支持されており、該第２のギヤが第１の支持板とは別の部材である第２の支持板に植設してある第２のギヤ軸に回転可能に支持されている構成において、第１のギヤ軸と第２のギヤ軸との位置関係を精度良く定める。これによって、第１のギヤと第２のギヤとを、第１のギヤと第２のギヤとが共に第２の支持板に植設してあるギヤ軸に回転可能に支持されている構成の精度と同じ精度でかみ合わせることが可能となる。
【００１１】
【発明の実施の形態】
説明の便宜上、先ず本発明の一実施例になるギヤ機構が適用してあるＤＡＴストリーマについて説明する。図３はＤＡＴストリーマ３０を示す。装着されたＤＡＴテープカセット３１から磁気テープ３２がローディングポール３３、３４によって引き出され、回転ドラム３５に巻付けられている。磁気テープ３２は、ピンチローラ３６とキャプスタン３７とによって駆動されて走行され、情報が回転ヘッド３８によって磁気テープ４２に記録され又は回転ヘッド３８が磁気テープ４２に記録されている情報を再生する。
【００１２】
ＤＡＴストリーマ３０は、操作に応じてモードカム５６が所定の位置まで回動することによって、機構が動かされて、操作に応じた動作モードとされる。モードカム５６は、モードモータ５０によって、ウォーム５１、ウォームホイール５２、ギヤ５３、５４、５５を介して回動される。
図１及び図２（Ａ），（Ｂ），（Ｃ）は本発明の一実施例になるギヤ機構６０を示す。本発明の要部はウォームホイール５２からギヤ５３への回転伝達部分にある。
【００１３】
６１はブラケットであり、垂直のモータ取り付け部６１ａと、モータ取り付け部６１ａの上端より水平に張り出た上側水平張り出し部６１ｂと、モータ取り付け部６１ａの下端より両側に水平に張り出た下側水平張り出し部６１ｃ，６１ｄとを有する。
上側水平張り出し部６１ｂには、ウォームホイール５２用のギヤ軸６２が植設してあり、下方に突き出している。
【００１４】
ＤＡＴストリーマ３０のシャーシ７０には、ギヤ５３用のギヤ軸６３が植設してあり、上方に突き出している。ギヤ軸６３の上端面の中心に位置決め穴６３ａが形成してある。ギヤ軸６３にギヤ５３が嵌合して回転自在に支持されている。
ウォームホイール５２のギヤ部５２ａとギヤ５３とがかみ合い、かみ合った状態でのウォームホイール５２の中心とギヤ５３の中心との間の距離がＡである。
【００１５】
ブラケット６１の上側水平張り出し部６１ｂには、ギヤ軸６３用の位置決め軸６４が植設してあり、下方に突き出している。ギヤ軸６２と位置決め軸６４との間の距離は、上記のかみ合った状態でのウォームホイール５２の中心とギヤ５３の中心との間の距離Ａと等しい距離Ａとしてある。位置決め軸６４の下端の径は、上記位置決め穴６３ａに丁度嵌合する値である。
【００１６】
ブラケット６１のモータ取り付け部６１ａには、上端側が開口であるＵ字形状切り欠き部６１ａ１が形成してある。
モードモータ５０のスピンドル５０ａには、ウォーム５１が固定してある。
シャーシ７０上にギヤ５３、５４、５５が組み込んである。ギヤ５４、５５はシャーシ７０上の別の軸に嵌合してある。シャーシ７０の上方に、サブシャーシ７１が固定してある。
【００１７】
ウォームホイール組立体８０は、ブラケット６１のモータ取り付け部６１ａにウォーム５１付きのモードモータ５０がねじによって固定してあり、ギヤ軸６２にウォームホイール５２が嵌合してあり、ねじ６４によって抜けないように止めてあり、ウォームホイール５２がウォーム５１とかみ合っている構成である。
ギヤ５３は、ギヤ軸６３に嵌合してある。
【００１８】
ウォームホイール組立体８０は、位置決め軸６４の下端部をギヤ軸６３の位置決め穴６３ａに嵌合させ、ウォームホイール５２のギヤ部５２ａをギヤ５３とかみ合わせた状態で、下側水平張り出し部６１ｃ，６１ｄをサブシャーシ７１にねじ止めされてサブシャーシ７１上に取り付けてある。以上によって、ギヤ機構６０が構成されている。
【００１９】
上記ウォームホイール５２が特許請求の範囲の請求項１記載の「第１のギヤ」に対応し、ギヤ５３が「第２のギヤ」に対応し、ブラケット６１の上側水平張り出し部６１ｂが「第１の支持板」に対応し、シャーシ７０が「第２の支持板」に対応し、ギヤ軸６２が「第１のギヤ軸」に対応し、ギヤ軸６３が「第２のギヤ軸」に対応し、位置決め軸６４が「位置決め軸」に対応し、位置決め穴６３ａが「位置決め穴」に対応する。
【００２０】
ここで、張り出し部６１ｂは平面であり、ギヤ軸６２と位置決め軸６４との間に段差部は存在していず、位置決め軸６４とギヤ軸６２との間の寸法Ａの精度は良く、且つ、位置決め軸６４がギヤ軸６３の位置決め穴６３ａに嵌合しているため、ギヤ軸６２とギヤ軸６３との間の距離は寸法Ａに精度良く決まる。よって、ウォームホイール５２のギヤ部５２ａとギヤ５３とは、ウォームホイール５２とギヤ５３とが共にシャーシ７０上の軸に嵌合している従来の構成によって得られる精度と同じ精度でかみ合い、ウォームホイール５２のギヤ部５２ａからギヤ５３回転伝達は正常になされる。
【００２１】
また、ウォーム５１付きのモードモータ５０とウォームホイール５２とが取り付けてあるウォームホイール組立体８０がサブシャーシ７１上に取り付けてある構成であるため、ギヤ及びモータを専らシャーシ７０に組み付けた構成に比べて、組み立て作業がし易く及び修理の作業がし易い。
また、ウォーム５１付きのモードモータ５０とウォームホイール５２とが取り付けてあるウォームホイール組立体８０がサブシャーシ７１上に取り付けてある構成であるため、一部が立体的となって高さを利用しており、ギヤ及びモータを専らシャーシ７０に組み付けた構成に比べて、ギヤ機構６０は小型となっている。また、ギヤ及びモータを専らシャーシ７０に組み付けた構成に比べて、ギヤ機構６０は設計の自由度が高くなっている。
【００２２】
また、ウォームホイール５２をブラケット６１の穴を通す必要がないため、ウォームホイール５２をブラケット６１の穴を通すときにウォームホイール５２がブラケット６１の穴の淵に当たって傷つけてしまうことが回避される。
なおブラケット６１が合成樹脂成形品であるならば、上側水平張り出し部６１ｂに対応する部分は、ギヤ軸６２と位置決め軸６４との間に段差部を有する形状であってもよい。
【００２３】
図４及び図５は本発明の別の実施例になるギヤ機構６０Ａを示す。ギヤ機構６０Ａは、上記のギヤ機構６０とは逆に、位置決め軸６４Ａが下端に位置決め穴６４Ａａを有し、ギヤ軸６２Ａが上端部に細い部分６２Ａａを有し、位置決め軸６４Ａの位置決め穴６４Ａａがギヤ軸６２Ａの先端の細い部分６２Ａａと嵌合した構成であり、ギヤ軸６２Ａとギヤ軸６３との間の距離が寸法Ａに精度良く決まる。
【００２４】
また、ブラケット６１の位置決め軸６４Ａを植えた部位に位置決め穴を形成し、ギヤ軸６２Ａの先端を位置決め穴に嵌合させて位置決めする構成も考えられる。しかし、このようにすると、ギヤ軸６２Ａの長さ（高さ）が長くなり過ぎて、ギヤ軸６２Ａの倒れの影響がギヤ軸６２Ａとギヤ軸６３との間の距離に現れ易くなって、ギヤ軸６２Ａとギヤ軸６３との間の距離を精度良く決めることが難しくなる。
【００２５】
これに対して、本実施例では、上記のギヤ機構６０、６０Ａは、ギヤ軸６２、６２Ａの長さ（高さ）が中程度であり、ギヤ軸６２、６２Ａの倒れの影響は殆どなく、ギヤ軸６２とギヤ軸６３との間の距離及びギヤ軸６２Ａとギヤ軸６３との間の距離が寸法Ａに精度良く決まっている。
【００２６】
【発明の効果】
以上説明したように、請求項１の発明によれば、かみ合っており回転の伝達を行う第１のギヤと第２のギヤとを有するギヤ機構において、第１のギヤが第１の支持板に植設してある第１のギヤ軸に回転可能に支持されており、第２のギヤが第１の支持板とは別の部材である第２の支持板に植設してある第２のギヤ軸に回転可能に支持されており、第１の支持板には、上記第１のギヤ軸に加えて位置決め軸が植設してあり、該第１のギヤ軸と該位置決め軸との関係がかみ合った第１のギヤと該第２のギヤとの位置関係に対応した関係にあり、上記第２のギヤ軸は、先端側に位置決め穴が形成してあり、第１の支持板上の第１のギヤ軸と位置決め軸との位置関係が精度良く決まっており、この位置決め軸の先端側が第２のギヤ軸の先端側の位置決め穴に嵌合した構成であるため、第１のギヤが第１の支持板に植設してある第１のギヤ軸に回転可能に支持されており、第２のギヤが第１の支持板とは別の部材である第２の支持板に植設してある第２のギヤ軸に回転可能に支持されている構成において、第１のギヤ軸と第２のギヤ軸との位置関係を精度良く定めることが出来、よって、第１のギヤと第２のギヤとを、第１のギヤと第２のギヤとが共に第２の支持板に植設してあるギヤ軸に回転可能に支持されている構成の精度と同じ精度でかみ合わせることが出来る。
【００２７】
また、第１のギヤが第１の支持板に支持されており、第２のギヤが第１の支持板とは別の部材である第２の支持板に支持されており、第１の支持板が第２の支持板に対して取り付けられている構成であるため、第１のギヤ及び第２のギヤを第２の支持板に支持させた構成に比べて、組み立て作業及び修理作業を容易に行うことが出来、また、立体的となってコンパクトに構成出来る。
【００２８】
請求項２の発明によれば、位置決め軸は、先端側に位置決め穴が形成してあり、第２の支持板が取り付けられた状態で、第２のギヤ軸の先端側が位置決め軸の先端側の位置決め穴に嵌合しており、これによって、第１のギヤ軸と該第２のギヤ軸との位置関係が決定されている構成としたものであるため、第１のギヤが第１の支持板に植設してある第１のギヤ軸に回転可能に支持されており、第２のギヤが第１の支持板とは別の部材である第２の支持板に植設してある第２のギヤ軸に回転可能に支持されている構成において、第１のギヤ軸と第２のギヤ軸との位置関係を精度良く定めることが出来、請求項１の発明によって得られる効果と同じ効果を有する。
【図面の簡単な説明】
【図１】本発明の一実施例になるギヤ機構の分解斜視図である。
【図２】図１のギヤ機構を示す図である。
【図３】図１及び図２のギヤ機構が適用してあるＤＡＴストリーマを概略的に示す平面図である。
【図４】本発明の別の実施例になるギヤ機構の分解斜視図である。
【図５】図４のギヤ機構を示す図である。
【図６】従来のギヤ機構を示す図である。
【符号の説明】
３０  ＤＡＴストリーマ
５０  モードモータ
５１  ウォーム
５２  ウォームホイール
５３、５４、５５  ギヤ
５６  モードカム
６０、６０Ａ  ギヤ機構
６１  ブラケット
６１ｂ  上側水平張り出し部
６２，６３，６３Ａ  ギヤ軸
６３ａ  位置決め穴
６４、６４Ａ  位置決め軸
６４Ａａ  位置決め穴
７０  シャーシ
７１  サブシャーシ
８０  ウォームホイール組立体
【図１】
0003783435.tif 000002
【図２】
0003783435.tif 000003
【図３】
0003783435.tif 000004
【図４】
0003783435.tif 000005
【図５】
0003783435.tif 000006
【図６】
0003783435.tif 000007